(57)【要約】【課題】  レジ精度を損なわずに３板プリズムユニットのＣＣＤあおり調整を行う組み立て方法。【解決手段】  ＣＣＤをプリズムに貼り付ける際、まず空中でＣＣＤあおり調整を行う。  調整後、ＣＣＤを、あおり調整後状態に保持したままプリズムへ押し当て、ＣＣＤレジ調整を行い、接着剤を硬化させる。【選択図】  図１
2008042465.tif 000002
【特許請求の範囲】
【請求項１】
撮像素子と色分解プリズムを有する色分解撮像ユニットにおいて、色分解プリズムと撮像素子を離間した状態で、光軸に対する撮像素子受光面のあおり調整を行い、その状態を保ったまま前記撮像素子外装面と前記色分解プリズムの面を当接させ、両者を固定することを特徴とした撮像装置。
【請求項２】
請求項１において、前記撮像素子と前記色分解プリズムとの固定は、両者の間に接着剤を充填し、硬化させることを特徴とした撮像装置。
【請求項３】
請求項１において、前記撮像素子外装面と前記色分解プリズムの面を当接させる際、前記色分解プリズムの面に対し、前記撮像素子外装面の点、線、面のいずれかが当接した状態で、前記撮像素子と前記色分解プリズムとを固定することを特徴とした撮像装置。
【発明の詳細な説明】
【技術分野】
【０００１】
本発明は、撮像装置に関するものである。
【背景技術】
【０００２】
従来、高画質ビデオカメラにおいては、３個の撮像素子と３個のプリズムを用いた３色分解プリズムユニットが多く採用されている。
【０００３】
中でも、シンプルで安価に製作できる代表的な構成としては、特開平04-290090号に記載されたものが知られている。
【０００４】
しかしながら、この構成では、光軸に対する撮像素子受光面のあおり調整ができなかった。そこで、あおり調整用部品を追加して撮像素子受光面あおり調整を可能とし、より高性能の色分解プリズム装置が発明されている。その一例として、特開2003-259384号や特開2002-051352号に記載したものが上げられる。
【特許文献１】特開平04-290090号
【特許文献２】特開2003-259384号
【特許文献３】特開2002-051352号
【発明の開示】
【発明が解決しようとする課題】
【０００５】
しかしながら、上記従来例においては、以下の欠点があった。
【０００６】
１．従来例（特開2003-259384号、特開2002-051352号）による光軸に対する撮像素子受光面のあおり調整においては、調整用凹凸ガラスやくさびガラスが必要であったため部品コストが上がるという問題があった。更に、接着面が増えるためゴミ等の異物混入による不良の確率が高くなるという欠点もあった。（請求項１,2,3）
【課題を解決するための手段】
【０００７】
本発明は、以下手段により上記課題を解決すべく発明されたものである。
【０００８】
１．色分解プリズムと撮像素子を離間した状態で、光軸に対する撮像素子面のあおり調整をし、その状態を保ったまま前記撮像素子保護ガラス面と前記色分解プリズムの面を当接させ、両者を固定する構成とした。（請求項1）
２．１．において、前記撮像素子と前記色分解プリズムとの固定は、両者の間に接着剤を充填し、硬化させる構成とした。（請求項2）
３．１．において、色分解プリズムの面に対し、撮像素子保護ガラス面の１点が当接した状態で、前記撮像素子と前記色分解プリズムとを固定する構成とした。（請求項3）
【発明の効果】
【０００９】
本発明によれば、以下の効果を得ることが出来る。
【００１０】
１．色分解プリズムと撮像素子を離間した状態で、光軸に対する撮像素子受光面のあおりを調整し、その状態を保ったまま前記撮像素子保護ガラス面と前記色分解プリズムの面を当接させ、両者を固定する構成とした。このため、接着層が薄くなると同時に、当接点の摩擦効果により、固定後の位置変化を少なく保ちつつ、光軸に対する撮像素子受光面のあおり調整が可能となった。また、部品点数と接着層が増えないので、安価で製作時のゴミ混入が少ない色分解プリズムを実現できた。（請求項１,2）
２．１．において、色分解プリズムと撮像素子を離間した状態で、光軸に対する撮像素子受光面のあおりを調整し、その状態を保ったまま前記撮像素子保護ガラス面と前記色分解プリズムの面を１点のみで当接させ、両者を固定する構成とした。このため、接着層が薄くなると同時に、当接点の摩擦効果により、固定後の位置変化を少なく保ちつつ、光軸に対する撮像素子受光面のあおり調整が可能となった。また、部品点数と接着層が増えないので、安価で製作時のゴミ混入が少ない色分解プリズムを実現できた。（請求項3）
【発明を実施するための最良の形態】
【００１１】
以下、本発明を実施するための形態に関して説明する。
【実施例１】
【００１２】
以下本発明による３色分解プリズムユニットに関する実施例の構成について説明する。
【００１３】
図１は第１の実施例による撮像素子調整前の配置図。図２は第１の実施例による撮像素子θＸ、θＹ調整(あおり調整）時の配置図。図３は第１の実施例による撮像素子θＺ、Ｘ、Ｙ調整時の配置図である。
【００１４】
ここで、101,102,103は色分解プリズム。104,105,106は色分解プリズム出射面。107,108,109は撮像素子。110,111,112は撮像素子保護ガラス。113は色分解プリズム入射面。114,115は色分解プリズム接合面。116,117は光路長調整方向。118は撮像素子あおり調整方向（θＸ方向）。119は撮像素子あおり調整方向（θＹ方向）。120は撮像素子水平調整方向（Ｘ方向）。121は撮像素子垂直調整方向（Ｙ方向）。122は撮像素子回転調整方向（θＺ方向）。123は色分解プリズム103と撮像素子保護ガラス112が接触している当接点である。
【００１５】
以上の構成において、以下本発明による３色分解プリズムユニットの組立て工程を図に沿って説明する。
【００１６】
まず色分解プリズム接合面114,115に紫外線硬化接着剤を塗布して３個の色分解プリズム101,102,103を接合する。次に図１の状態（撮像素子109と色分解プリズム103が離れた状態）で、撮像素子保護ガラス112と色分解プリズム出射面106に紫外線硬化接着剤を塗布する。
【００１７】
ここで図２のように、撮像素子109をあおり方向（θＸ方向118、θＹ方向119）に調整する。調整手段としては、所定のテストチャートを撮像し、画像の結像状態が最良になるよう各方向に調整することにより、光軸に対する撮像素子受光面を、光学的に垂直にすることができる。なお、これ以降の各種調整に関しても同様の調整手段を用いることとする。
【００１８】
更に図３のように、撮像素子109を、あおり調整後の状態を保ったまま、前記色分解プリズム出射面106に当接させる。なお、他２個の撮像素子107,108も同一方法で調整を行う。
【００１９】
次に、色分解プリズム102,103を、接合面114,115に沿って116,117方向に移動し、色分解プリズム入射面113から３個の撮像素子107,108,109までのそれぞれの光路長調整を行う。
【００２０】
最後に、撮像素子109をＸ方向120、Ｙ方向121、θＺ方向122に調整する。他２個の撮像素子107,108も同様に調整を行う。
【００２１】
上記調整終了後、全体に紫外線を照射して全ての接着剤を硬化する。
【００２２】
以上のように、本発明によれば、色分解プリズムと撮像素子を離間した状態で、光軸に対する撮像素子受光面のあおりを調整し、その状態を保ったまま前記撮像素子保護ガラスと前記色分解プリズムの面を当接させ、両者を接着する構成とした。このため、部品点数や接着層数を増やすこと無く、光軸に対する撮像素子受光面のあおり調整が可能となった。しかも当接点123が存在するため、着層が薄くなると同時に、当接点の摩擦効果により、固定後の位置変化を少なく保つことが出来る。
【００２３】
なお、上記当接点に関しては、撮像素子保護ガラス112と前記色分解プリズム出射面106が理想的な平面に近い場合は１点のみ又は線又は面での接触となり、それぞれの面にゆがみがある場合は数個の点や線での接触となる。
【図面の簡単な説明】
【００２４】
【図１】第１の実施例による撮像素子調整前の配置図。
【図２】第１の実施例による撮像素子θＸ、θＹ調整時の配置図。
【図３】第１の実施例による撮像素子θＺ、Ｘ、Ｙ調整時の配置図。
【符号の説明】
【００２５】
101,102,103  色分解プリズム
104,105,106  色分解プリズム出射面
107,108,109  撮像素子
110,111,112  撮像素子保護ガラス
113  色分解プリズム入射面
114,115  色分解プリズム接合面
116,117  光路長調整方向
118  撮像素子垂直あおり調整方向（θＸ方向）
119  撮像素子水平あおり調整方向（θＹ方向）
120  撮像素子水平調整方向（Ｘ方向）
121  撮像素子垂直調整方向（Ｙ方向）
122  撮像素子回転調整方向（θＺ方向）
123  当接点
【図１】
2008042465.tif 000003
【図２】
2008042465.tif 000004
【図３】
2008042465.tif 000005